(57)【要約】【課題】本発明は、薬剤容器に関するもので、これらを取り扱う医療従事者への安全性を更に高めることを目的とする。【解決手段】そして、この目的を達成するために本発明は、複数の薬剤収納室１、２、３と、前記複数の薬剤収納室１、２、３の各々に連結された複数の薬剤供給路４と、前記複数の薬剤供給路４に、開閉弁６を介して接続された薬剤供給口５と、を備え、前記開閉弁６は、以下（１）〜（５）の順番にて、それぞれの前記薬剤収納室１、２、３と前記薬剤供給口５との開閉状態を切り替える構成とした。（１）閉状態（２）１番目の薬剤収納室と前記薬剤供給口が開状態（３）２番目の薬剤収納室と前記薬剤供給口が開状態（４）Ｎ（ここで、Ｎは２以上の自然数）番目の薬剤収納室と前記薬剤供給口が開状態（５）閉状態【選択図】図１
2015002754.tif 000002
【特許請求の範囲】
【請求項１】
複数の薬剤収納室と、
前記複数の薬剤収納室の各々に連結された複数の薬剤供給路と、
前記複数の薬剤供給路に、開閉弁を介して接続された薬剤供給口と、
を備え、
前記開閉弁は、以下（１）〜（５）の順番にて、それぞれの前記薬剤収納室と前記薬剤供給口との開閉状態を切り替えることを特徴とする薬剤容器。
（１）閉状態
（２）１番目の薬剤収納室と前記薬剤供給口が開状態
（３）２番目の薬剤収納室と前記薬剤供給口が開状態
（４）Ｎ（ここで、Ｎは２以上の自然数）番目の薬剤収納室と前記薬剤供給口が開状態
（５）閉状態
【請求項２】
開閉弁は、一定方向にのみ回転することによって、前記開閉状態を切り替える請求項１に記載の薬剤容器。
【発明の詳細な説明】
【技術分野】
【０００１】
本発明は、薬剤容器に関するものである。
【背景技術】
【０００２】
例えば、点滴治療に用いられる薬剤容器は、薬剤を収納する薬剤収納室と、その薬剤収納室の各々に連結された薬剤供給路と、その薬剤供給路に接続された薬剤供給口とを備え、薬剤供給口から薬剤供給路を介して薬剤収納室内に薬剤を流入させた構成となっており、前記点滴治療時には、前記薬剤供給口に、チューブを介して点滴針を連結し、この点滴針を患者に差し込むことで、前記薬剤収納室内の薬剤を患者に投与するようになっていた（たとえば下記特許文献１参照）。
【先行技術文献】
【特許文献】
【０００３】
【特許文献１】特開２００４−２９０２１７号公報
【発明の概要】
【発明が解決しようとする課題】
【０００４】
点滴治療時において、複数種類の薬剤を投与する場合、複数の薬剤容器を用い、その複数の薬剤容器を、開閉弁を設けたチューブを介して点滴針を連結し、この点滴針を患者に差し込み、前記開閉弁を順次切り替えることによって、それぞれの薬剤収納室内の薬剤を、患者に投与する方法が用いられている。
【０００５】
また、がんの点滴治療の場合、薬剤として抗がん剤が用いられるが、この抗がん剤は、制がん性のほかに発がん性、変異原性、催奇性等の有害な作用も有しており、取り扱う医療従事者にも健康影響を及ぼすことがよく知られている。
【０００６】
このように、抗がん剤を薬剤として、がんの点滴治療を行う際は、抗がん剤をいきなり投与するのではなく、以下の順番で薬剤を投与することが知られている。
【０００７】
（Ａ）生理食塩水、ブドウ糖、注射溶液のいずれか１種類の薬剤
（Ｂ）抗がん剤（薬剤）
（Ｃ）生理食塩水、ブドウ糖、注射溶液のいずれか１種類の薬剤
この（Ａ）、（Ｂ）、（Ｃ）の順序にて点滴治療を行うことによって、点滴針の抜き差し（点滴開始時と点滴終了時）を行う医療従事者の健康への悪影響を防止するのである。
【０００８】
しかしながら、がんの点滴治療に、前述のような方法によって、複数種類の薬剤（上記（Ａ）、（Ｂ）、（Ｃ）の薬剤）を投与する場合、チューブに設けられた開閉弁にて、複数の薬剤容器を接続するようになるため、その接続作業時に、何だかの原因で抗がん剤が外部へ曝露してしまい、医療従事者の健康へ悪影響を及ぼす可能性があった。つまり、点滴治療準備時に、薬剤が外部へ曝露してしまう可能性があるため、これらを取り扱う医療従事者への安全性をより高める必要があった。
【０００９】
そこで本発明は、これらを取り扱う医療従事者等への安全性を更に高めることを目的とするものである。
【課題を解決するための手段】
【００１０】
そしてこの目的を達成するために本発明は、複数の薬剤収納室と、前記複数の薬剤収納室の各々に連結された複数の薬剤供給路と、前記複数の薬剤供給路に、開閉弁を介して接続された薬剤供給口と、を備え、前記開閉弁は、以下（１）〜（５）の順番にて、それぞれの前記薬剤収納室と前記薬剤供給口との開閉状態を切り替える構成とし、これにより所期の目的を達成するものである。
【００１１】
（１）閉状態
（２）１番目の薬剤収納室と前記薬剤供給口が開状態
（３）２番目の薬剤収納室と前記薬剤供給口が開状態
（４）Ｎ（ここで、Ｎは２以上の自然数）番目の薬剤収納室と前記薬剤供給口が開状態
（５）閉状態）
【発明の効果】
【００１２】
以上のように本発明は、複数の薬剤収納室と、前記複数の薬剤収納室の各々に連結された複数の薬剤供給路と、前記複数の薬剤供給路に、開閉弁を介して接続された薬剤供給口と、を備え、前記開閉弁は、以下（１）〜（５）の順番にて、それぞれの前記薬剤収納室と前記薬剤供給口との開閉状態を切り替える構成としたものでるので、これらを取り扱う医療従事者等への安全性を更に高めることができる。
【００１３】
（１）閉状態
（２）１番目の薬剤収納室と前記薬剤供給口が開状態
（３）２番目の薬剤収納室と前記薬剤供給口が開状態
（４）Ｎ（ここで、Ｎは２以上の自然数）番目の薬剤収納室と前記薬剤供給口が開状態
（５）閉状態）
すなわち、本発明においては、点滴治療準備時に、複数の薬剤容器を、複数のチューブを接続する必要がないため、点滴治療準備時に薬剤が暴露することがなく、その結果として、極めて安全性の高い薬剤容器となる。
【図面の簡単な説明】
【００１４】
【図１】本発明の実施の形態１に係る薬剤入り容器を示す正面図
【発明を実施するための形態】
【００１５】
以下、本発明の一実施形態を、図面とともに詳細に説明する。
【００１６】
（実施の形態１）
図１は、本発明の実施の形態１に係る薬剤入り容器を示す正面図を示すものである。
図１にしめすごとく、１、２、３は、薬剤供給路４それぞれに連結された薬剤収納室である。また、この薬剤供給路４のそれぞれ薬剤収納室１、２、３とは反対側に薬剤供給口５が設けられている。更に、薬剤供給路４の薬剤収納室１、２、３が接続された部分に開閉弁６が設けられている。
【００１７】
また、本実施形態おける開閉弁６は、開閉弁６の開閉状態を操作するハンドル７を備えている。更に、本実施形態におけるハンドル７は、図１中の点線（１）から点線（５）の範囲にて反時計にのみ回転可能で、かつ、点線（１）、点線（２）、点線（３）、点線（４）、点線（５）のそれぞれの位置のみで固定可能な構成となっている。
この開閉弁６のハンドル７が、図１中の点線（１）から点線（５）のそれぞれの位置に滞在しているときは、以下のような状態となっている。
・点線（１）の位置：薬剤収納室１、２、３のいずれにも接続されていない状態（閉状態）
・点線（２）の位置：薬剤収納室１と薬剤供給口５とが開状態
・点線（３）の位置：薬剤収納室２と薬剤供給口５とが開状態
・点線（４）の位置：薬剤収納室３と薬剤供給口５とが開状態
・点線（５）の位置：薬剤収納室１、２、３のいずれにも接続されていない状態（閉状態）
つまり、本実施形態においては、開閉弁６のハンドル７を操作することによって、薬剤収納室１、２，３と薬剤供給口５との開閉状態を、以下（１）〜（５）のように順次切り替えることができる。
（１）閉状態
（２）１番目の薬剤収納室（すなわち薬剤収納室１）と薬剤供給口５が開状態
（３）２番目の薬剤収納室（すなわち薬剤収納室２）と薬剤供給口５が開状態
（４）３番目の薬剤収納室（すなわち薬剤収納室３）と薬剤供給口５が開状態
（５）閉状態
なお、本実施形態における薬剤収納室１、２、３は、可撓性を有する円筒形状のものとなっている。また、本実施形態においては、薬剤収納室１、２、３は、それぞれの表裏面は、可撓性で透明のカバー８で覆われている。そして、このカバー８の一端側外には、薬剤供給口５を設けると共に、このカバー８の一端側には、薬剤封入時吊り下げ孔９を設け、また、このカバー８の他端側には、薬剤投与時吊り下げ孔１０を設けている。
【００１８】
次に、本実施形態の薬剤容器の使用方法を説明する。
本実施形態においては、製薬会社で製造された薬剤が、製薬会社または薬剤封入工場において、薬剤供給口５（すなわち、薬剤封入時吊り下げ孔９）を上方として、この薬剤供給口５から薬剤収納室１、２、３内に、収納させられる。
【００１９】
本実施形態においては、薬剤収納室１、２、３内に収納される薬剤を、それぞれ薬剤１１、１２、１３とする。薬剤１１、１２、１３が、それぞれ薬剤収納室１、２、３内に供給した後には、薬剤供給口５も閉状態となっている。このため、薬剤１１、１２、１３が、それぞれ薬剤収納室１、２、３内に封入された状態となっており、この封入状態で、薬剤入り薬剤容器として、病院に納品させられる。なお、この封入状態において、薬剤入り薬剤容器の開閉弁６のハンドル７は、上述の、
・点線（１）の位置：薬剤収納室１、２、３のいずれにも接続されていない状態（閉状態）
に位置している。
【００２０】
次に、納品を受けた病院では、患者に対し、次のようにして点滴を行う。
【００２１】
図１に示すごとく、薬剤投与時吊り下げ孔１０側を上方にして、フック（図示なし）に薬剤投与時吊り下げ孔１０を吊り下げる。
【００２２】
次に、薬剤供給口５にチューブ（図示なし）を介して、点滴針（図示なし）を連結し、この状態で、点滴針を患者に差し込む。その後、開閉弁６のハンドル７を反時計回りに回転させ、上述の、
・点線（２）の位置：薬剤収納室１と薬剤供給口５とが開状態
に位置させる。この状態にて、点滴針から、薬剤収納室１に収納されている薬剤１１が、患者に投与されることとなる。
【００２３】
次に、薬剤１１の投与が完了すると、開閉弁６のハンドル７を反時計回りに回転させ、上述の、
・点線（３）の位置：薬剤収納室２と薬剤供給口５とが開状態
に位置させる。この状態にて、点滴針から、薬剤収納室２に収納されている薬剤１２が、患者に投与されることとなる。
【００２４】
更に、薬剤１２の投与が完了すると、開閉弁６のハンドル７を反時計回りに回転させ、上述の、
・点線（４）の位置：薬剤収納室３と薬剤供給口５とが開状態
に位置させる。この状態にて、点滴針から、薬剤収納室３に収納されている薬剤１３が、患者に投与されることとなる。
【００２５】
次に、薬剤１２の投与が完了する、すなわち、この薬剤入り薬剤容器に収納された全ての薬剤（本実施形態では、薬剤１１、１２、１３）の投与が完了すると、開閉弁６のハンドル７を反時計回りに回転させ、上述の、
・点線（５）の位置：薬剤収納室１、２、３のいずれにも接続されていない状態（閉状態）
に位置させ、その後、点滴針を患者から抜く。
【００２６】
以上が、本実施形態の薬剤容器の使用方法である。
【００２７】
上述の説明で明らかなように、本実施形態においては、薬剤が外部へ曝露してしまう原因の１つである点滴治療準備時における複数のチューブ接続を行う必要がないため、点滴治療準備時の薬剤の暴露することがなく、その結果として、これらを取り扱う医療従事者への安全性を更に高めることができるのである。
【００２８】
例えば、薬剤１１を生理食塩水、薬剤１２を抗がん剤、薬剤１３を生理食塩水とし、がん治療の点滴に用いる薬剤容器であった場合は、抗がん剤の暴露は避ければならないものもあるが、本実施形態のように、薬剤容器内部の開閉弁６の切り替え動作だけで、投与薬剤の切り替え作業を行うことができるので、その取り扱いが極めて簡便で、かつ、これを取り扱う医療従事者への安全性を更に高めることができるのである。
【００２９】
なお、本実施形態においては、３種類の薬剤１１、１２、１３を患者に投与可能な薬剤容器の一例を開示したが、これに限定されるものではなく、例えば、Ｎ種類の薬剤を収納するＮ個の薬剤収納室を設け、そのＮ個の薬剤収納室に薬剤供給路を設け、その薬剤供給路が接続された開閉弁を設け、
この開閉弁は、以下（１）〜（５）の順番にて、それぞれの前記薬剤収納室と前記薬剤供給口との開閉状態を切り替えることように構成すれば、多種類の種類の薬剤を患者に投与可能な薬剤容器を提供することができる。
（１）閉状態
（２）１番目の薬剤収納室と前記薬剤供給口が開状態
（３）２番目の薬剤収納室と前記薬剤供給口が開状態
（４）Ｎ（ここで、Ｎは２以上の自然数）番目の薬剤収納室と前記薬剤供給口が開状態
（５）閉状態
さらに本実施形態においては、３種類の薬剤を開閉弁６で５つの順番で切り替える薬剤容器の一例を開示したが、これに限定されるものではなく、例えば薬剤１１を生理食塩水、薬剤１２を抗がん剤、薬剤１３を生理食塩水とし、その生理食塩水が薬剤供給口５まで連通していた場合、接続作業で医療従事者が生理食塩水に曝露したとしても無害である。従って開閉弁５が閉状態になる最初と最後の順番を省略し、以下（１）〜（３）の順番にて、それぞれの前記薬剤収納室と前記薬剤供給口との開閉状態を切り替えるよう３つの順番に簡略化することもできる。
（１）１番目の薬剤収納室（すなわち薬剤収納室１）と薬剤供給口５が開状態
（２）２番目の薬剤収納室（すなわち薬剤収納室２）と薬剤供給口５が開状態
（３）３番目の薬剤収納室（すなわち薬剤収納室３）と薬剤供給口５が開状態
また、本実施形態においては、開閉弁６のハンドル７を、一定方向にのみ回転する（本実施形態においては反時計回り）構成としている。このような構成とすることによって、これを取り扱う医療従事者が、誤って開閉弁６のハンドル７を回転させることがなく、その結果として、医療事故の発生を防止することができる。
【産業上の利用可能性】
【００３０】
本発明においては、患者の体格や年齢等によって異なる個人毎に必要とする薬剤量の調整は、開閉弁を開放することで一部の薬剤を薬剤調整室に移動させることで行うことができ、極めて作業性の高いものとなるのである。
従って、薬剤を封入するための薬剤容器として活用が期待されるものとなる。
【符号の説明】
【００３１】
１、２、３  薬剤収納室
４  薬剤供給路
５  薬剤供給口
６  開閉弁
７  ハンドル
８  カバー
９  薬剤封入時吊り下げ孔
１０  薬剤投与時吊り下げ孔
１１、１２、１３  薬剤
【図１】
2015002754.tif 000003